(57)【要約】【課題】  可搬性表示記録媒体１１へのコンテンツの表示処理、可搬性表示記録媒体１１のユーザ間での受け渡し等といったコンテンツの利用に係るユーザの行動を管理し、更には解析することを可能ならしめる。【解決手段】  ユーザが可搬性表示記録媒体１１によりコンテンツ提供装置６０から表示用コンテンツを取得すると、ユーザＩＤ、可搬性表示記録媒体１１のデバイスＩＤ、コンテンツＩＤと取得の時刻情報を管理装置５０に通知し、管理装置のログＤＢ５３に記録する。可搬性表示記録媒体１１による表示コンテンツの切り替え等についても、同様に通知してログＤＢ５３に記録する。そして、検索装置７０でログＤＢ５３を検索し、例えば、ユーザＩＤをキーとすることにより、或るユーザがどの可搬性表示記録媒体１１を所有してきたかという変遷やどのコンテンツを利用してきたかという変遷を把握することができる。【選択図】  図１
2005267147.tif 000002
【特許請求の範囲】
【請求項１】
コンテンツを表示した状態で情報を記録保持し当該コンテンツを書き換え可能な可搬性表示記録媒体を用いて、コンテンツの処理経緯に基づく解析を可能にする管理システムであって、
当該可搬性表示記録媒体の所有者ユーザを特定するユーザ識別情報とコンテンツを特定するコンテンツ識別情報とを管理し、ユーザがコンテンツに処理を加える毎の当該ユーザ識別情報と当該コンテンツ識別情報とを対応付けて記録するログ記録機能を備えたことを特徴とする情報管理システム。
【請求項２】
請求項１に記載の情報管理システムにおいて、
前記ユーザ識別情報と前記コンテンツ識別情報とを管理する管理装置を備え、
前記可搬性表示記録媒体は、ユーザがコンテンツに処理を加えた場合に当該ユーザ識別情報と当該コンテンツ識別情報とを前記管理装置に通知する機能を有し、
前記管理装置は、前記可搬性表示記録媒体からの通知に基づいて、ユーザがコンテンツに処理を加える毎の当該ユーザ識別情報と当該コンテンツ識別情報とを対応付けて時刻情報を伴って記録するログ記録機能を有していることを特徴とする情報管理システム。
【請求項３】
請求項１又は請求項２に記載の情報管理システムにおいて、
前記ログ記録機能により記録された前記ユーザ識別情報と前記コンテンツ識別情報との蓄積情報を検索して、ユーザ毎のコンテンツ処理履歴又はコンテンツ毎のユーザ履歴を出力する検索機能を有することを特徴とする情報管理システム。
【請求項４】
コンテンツを表示した状態で記録保持し当該コンテンツを書き換え可能な可搬性表示記録媒体を用いて、コンテンツの処理経緯に基づく解析を可能にする管理システムであって、
コンテンツを特定するコンテンツ識別情報と前記可搬性表示記録媒体を特定するデバイス識別情報とを管理し、コンテンツを前記可搬性表示記録媒体に記録保持させる毎の当該コンテンツ識別情報とデバイス識別情報とを対応付けて記録するログ記録機能を備えたことを特徴とする情報管理システム。
【請求項５】
請求項４に記載の情報管理システムにおいて、
前記コンテンツ識別情報と前記デバイス識別情報とを管理する管理装置を備え、
前記可搬性表示記録媒体は、コンテンツを前記可搬性表示記録媒体に記録保持させた場合に当該コンテンツ識別情報と当該デバイス識別情報とを前記管理装置に通知する機能を有し、
前記管理装置は、前記可搬性表示記録媒体からの通知に基づいて、コンテンツを前記可搬性表示記録媒体に記録保持させる毎の当該コンテンツ識別情報とデバイス識別情報とを対応付けて時刻情報を伴って記録するログ記録機能を有していることを特徴とする情報管理システム。
【請求項６】
請求項４又は請求項５に記載の情報管理システムにおいて、
前記ログ記録機能により記録された前記コンテンツ識別情報と前記デバイス識別情報との蓄積情報を検索して、コンテンツ毎の保持された前記可搬性表示記録媒体の履歴又は前記可搬性表示記録媒体毎の保持したコンテンツ履歴を出力する検索機能を有することを特徴とする情報管理システム。
【請求項７】
コンテンツを表示した状態で情報を記録保持する可搬性表示記録媒体を用いて、コンテンツの処理経緯に基づく解析を可能にする管理システムであって、
コンテンツを表示保持する前記可搬性表示記録媒体を特定するデバイス識別情報と当該可搬性表示記録媒体の所有者を特定するユーザ識別情報とを管理し、コンテンツを記録保持する前記可搬性表示記録媒体の所有者が変更される毎の当該デバイス識別情報とユーザ識別情報とを対応付けて記録するログ記録機能を備えたことを特徴とする情報管理システム。
【請求項８】
請求項７に記載の情報管理システムにおいて、
前記デバイス識別情報と前記ユーザ識別情報とを管理する管理装置を備え、
前記可搬性表示記録媒体は、コンテンツを記録保持する前記可搬性表示記録媒体の所有者が変更される場合に当該デバイス識別情報と当該ユーザ識別情報とを管理装置に通知する機能を有し、
前記管理装置は、前記可搬性表示記録媒体からの通知に基づいて、コンテンツを記録保持する前記可搬性表示記録媒体の所有者が変更される毎の当該デバイス識別情報と当該ユーザ識別情報とを対応付けて時刻情報を伴って記録するログ記録機能を有していることを特徴とする情報管理システム。
【請求項９】
請求項７又は請求項８に記載の情報管理システムにおいて、
前記ログ記録機能により記録された前記デバイス識別情報と前記ユーザ識別情報との蓄積情報を検索して、前記可搬性記録媒体毎の所有者ユーザ履歴又はユーザ毎の所有した前記可搬性表示記録媒体の履歴を出力する検索機能を有することを特徴とする情報管理システム。
【請求項１０】
コンテンツを表示した状態で情報を記録保持し当該コンテンツを書き換え可能な可搬性表示記録媒体を用いて、コンテンツの処理経緯に基づく解析を可能にする管理方法であって、
前記可搬性表示記録媒体が、ユーザがコンテンツに処理を加えた場合に当該ユーザ識別情報と当該コンテンツ識別情報とを管理装置に通知し、
前記管理装置が、前記可搬性表示記録媒体からの通知に基づいて、ユーザがコンテンツに処理を加える毎の当該ユーザ識別情報と当該コンテンツ識別情報とを対応付けて時刻情報を伴って記録することを特徴とする情報管理方法。
【請求項１１】
コンテンツを表示した状態で情報を記録保持し当該コンテンツを書き換え可能な可搬性表示記録媒体を用いて、コンテンツの処理経緯に基づく解析を可能にする管理方法であって、
前記可搬性表示記録媒体が、コンテンツを前記可搬性表示記録媒体に記録保持させた場合に当該コンテンツ識別情報と当該デバイス識別情報とを管理装置に通知し、
前記管理装置が、前記可搬性表示記録媒体からの通知に基づいて、コンテンツを前記可搬性表示記録媒体に記録保持させる毎の当該コンテンツ識別情報とデバイス識別情報とを対応付けて時刻情報を伴って記録することを特徴とする情報管理方法。
【請求項１２】
コンテンツを表示した状態で情報を記録保持する可搬性表示記録媒体を用いて、コンテンツの処理経緯に基づく解析を可能にする管理方法であって、
前記可搬性表示記録媒体が、コンテンツを記録保持する前記可搬性表示記録媒体の所有者が変更される場合に当該デバイス識別情報と当該ユーザ識別情報とを管理装置に通知し、
前記管理装置が、前記可搬性表示記録媒体からの通知に基づいて、コンテンツを記録保持する前記可搬性表示記録媒体の所有者が変更される毎の当該デバイス識別情報と当該ユーザ識別情報とを対応付けて時刻情報を伴って記録することを特徴とする情報管理方法。
【発明の詳細な説明】
【技術分野】
【０００１】
本発明は、コンテンツを表示した状態で情報を記録保持する可搬性表示記録媒体を用いる環境において、ユーザの行動や可搬性表示記録媒体の変遷等を、コンテンツの処理経緯に基づいて解析可能にする技術に関する。
【背景技術】
【０００２】
コンテンツは、例えば、写真、絵画、図画、更には、文字列のみ或いは文字列と写真等の画像との組み合わせによって構成される文書であり、ユーザが情報処理装置を使用して閲覧、作成、編集等の利用をすることができ情報である。
このようなコンテンツの利用形態としては、ネットワーク上に配信されるコンテンツをパーソナルコンピュータ等の情報処理装置で受信してそのディスプレイ画面に表示出力してユーザの閲覧に供すると言うのが典型的である。
【０００３】
ここで、電子文書の作成や編集の過程でユーザが当該文書に対して施したコメント等のやり取りをメタペーパー部として管理して、メタペーパー部の利用によりユーザ間のコミュニケーションを支援しようとする発明が提案されている（特許文献１参照。）。
なお、この提案において、電子ペーパーと言う語句が用いられているが、当該電子ペーパーの語句はメタペーパー部と区別するために電子文書が可視化されてユーザに提示される部分を意味し、下記に説明する本発明に係る可搬性表示記録媒体としての電子ペーパーとは異なるものである。
【特許文献１】特開平７―１２１５２９号公報
【発明の開示】
【発明が解決しようとする課題】
【０００４】
文書等のコンテンツの根本的な機能を鑑みると、コンテンツはユーザ間の情報伝達の手段である。したがって、上記の提案のように情報伝達の内容である文書の作成や編集の過程でユーザが付加した情報も当該文書に関連して利用可能に管理することは、ユーザ間のコミュニケーションを円滑化させるために有用であると言える。
【０００５】
一方、コンテンツはユーザによって作成、編集、閲覧等（すなわち、情報処理としては作成処理、編集処理、表示出力処理等）の態様で利用されるのもであることから、コンテンツの利用に際してはユーザの何らかの行動が伴うものである。このような事情に着目すれば、コンテンツの利用（すなわち、情報処理としてはコンテンツの作成処理、編集処理、表示出力処理等）に係わったユーザの行動を把握することが可能と考えられる。
しかしながら、従来ではこのような着目自体がなく、コンテンツの利用に基づいたユーザの行動を管理し更には解析することはできなかった。
【０００６】
ここで、少なくとも光書き込みや電子書き込み形式の書き換え可能な表示部を有した可搬性表示記録媒体が知られており、この可搬性表示記録媒体は、下記に詳述するように、いわゆる電子ペーパーと称せられるように紙の様に薄型の装置であり、ユーザが恰も紙に印刷された文書を扱うが如き感覚で利用することができるものである。すなわち、このような可搬性表示記録媒体を用いて、その表示部にコンテンツ画像を表示記録する場合には、コンテンツを表示記録した可搬性表示記録媒体は紙媒体に印刷表示した状態のコンテンツ文書と同様な感覚で扱われる。
したがって、可搬性表示記録媒体を用いてコンテンツを利用する場合には、当該コンテンツの利用に伴うユーザの行動はより顕著な特徴を表すものとなり、ユーザの行動を解析し把握するために極めて有用な情報となる。
【０００７】
本発明は、上記従来の事情に鑑みなされたもので、可搬性表示記録媒体への表示記録処理、可搬性表示記録媒体に表示記録するコンテンツの編集処理、コンテンツを表示記録する可搬性表示記録媒体の交換等といったコンテンツの利用に係るユーザの行動を管理し、更には解析することを可能ならしめることを目的としている。
【課題を解決するための手段】
【０００８】
本発明は、上記のような新規な着目に基づいてなされたもので、可搬性表示記録媒体を用いたコンテンツの利用処理を管理することにより、当該コンテンツ利用に係わったユーザの行動解析を可能にする。
すなわち、本発明では、コンテンツを特定するコンテンツ識別情報、可搬性表示記録媒体の所有者ユーザを特定するユーザ識別情報、可搬性表示記録媒体を特定するデバイス識別情報をコンテンツの利用処理に応じて管理することにより、コンテンツの処理経緯に基づく解析を可能にするログを生成するようにしている。そして、本発明では、当該ログを検索することにより、コンテンツ利用に係わったユーザの行動解析を可能にしている。
【０００９】
具体的には、本発明では、コンテンツを表示記録する可搬性表示記録媒体の所有者ユーザのユーザ識別情報と当該コンテンツのコンテンツ識別情報とを管理し、コンテンツの表示記録等のユーザがコンテンツの表示記録等のコンテンツ処理を加える毎の当該ユーザ識別情報と当該コンテンツ識別情報とを対応付けてログとして記録する。
より具体的な一態様としては、可搬性表示記録媒体が、ユーザがコンテンツに処理を加えた場合に当該ユーザ識別情報と当該コンテンツ識別情報とを管理装置に通知し、管理装置が、可搬性表示記録媒体からの通知に基づいて、ユーザがコンテンツに処理を加える毎の当該ユーザ識別情報と当該コンテンツ識別情報とを対応付けて時刻情報を伴って記録する。
【００１０】
したがって、ログ記録されたユーザ識別情報とコンテンツ識別情報との蓄積情報を検索して、ユーザ毎のコンテンツ処理履歴又はコンテンツ毎のユーザ履歴を出力し、例えば、ユーザが可搬性表示記録媒体を用いてどのようなコンテンツを表示記録していったか（すなわち、閲覧して行ったか）、可搬性表示記録媒体を用いてコンテンツがどのようなユーザによって利用されて行ったかと言ったように、或るユーザが利用したコンテンツの変遷や、或るコンテンツに係わったユーザの変遷を解析して、ユーザの行動を把握することが可能となる。
【００１１】
また、本発明では、コンテンツのコンテンツ識別情報と可搬性表示記録媒体を特定するデバイス識別情報とを管理し、コンテンツを可搬性表示記録媒体に記録保持させる毎の当該コンテンツ識別情報とデバイス識別情報とを対応付けてログとして記録する。
より具体的な一態様としては、可搬性表示記録媒体が、コンテンツを可搬性表示記録媒体に記録保持させた場合に当該コンテンツ識別情報と当該デバイス識別情報とを管理装置に通知し、  管理装置が、可搬性表示記録媒体からの通知に基づいて、コンテンツを可搬性表示記録媒体に記録保持させる毎の当該コンテンツ識別情報とデバイス識別情報とを対応付けて時刻情報を伴って記録する。
【００１２】
したがって、ログ記録されたコンテンツ識別情報とデバイス識別情報との蓄積情報を検索して、コンテンツ毎の保持された可搬性表示記録媒体の履歴又は可搬性表示記録媒体毎の保持したコンテンツ履歴を出力し、例えば、コンテンツを表示記録するためにどのような可搬性表示記録媒体が用いられたか、可搬性表示記録媒体によってどのようなコンテンツが表示記録されたかと言ったように、或るコンテンツの利用に用いられた可搬性表示記録媒体の変遷や、或る可搬性表示記録媒体によって利用したコンテンツの変遷を解析することができる、なお、可搬性表示記録媒体とそれを使用するユーザとの関係が規定されていたり又はそれらの関係が管理されているような使用環境においては、可搬性表示記録媒体は対応するユーザとみなすことができ、したがって、上記の解析によりユーザの行動を把握することが可能となる。
【００１３】
また、本発明では、可搬性表示記録媒体のデバイス識別情報と当該可搬性表示記録媒体の所有者を特定するユーザ識別情報とを管理し、可搬性表示記録媒体の所有者が変更される毎の当該デバイス識別情報とユーザ識別情報とを対応付けてログとして記録する。
より具体的な一態様としては、可搬性表示記録媒体が、コンテンツを記録保持する可搬性表示記録媒体の所有者が変更される場合に当該デバイス識別情報と当該ユーザ識別情報とを管理装置に通知し、管理装置が、可搬性表示記録媒体からの通知に基づいて、可搬性表示記録媒体の所有者が変更される毎の当該デバイス識別情報と当該ユーザ識別情報とを対応付けて時刻情報を伴って記録する。
【００１４】
したがって、ログ記録されたデバイス識別情報とユーザ識別情報との蓄積情報を検索して、可搬性記録媒体毎の所有者ユーザ履歴又はユーザ毎の所有した可搬性表示記録媒体の履歴を出力し、例えば、可搬性表示記録媒体がどのようなユーザによって所有されてきたか、ユーザがどのような可搬性表示記録媒体を所有してきたかと言ったように、或る可搬性表示記録媒体の所有者の変遷や、或るユーザが所有した可搬性表示記録媒体の変遷を解析することができる。なお、この解析結果は上記の可搬性表示記録媒体と使用ユーザとの対応付け関係としても利用することができるが、コンテンツの利用のために用いる可搬性表示記録媒体とそのユーザとの解析結果はそれ自体でコンテンツの利用に係わるユーザの行動を示すものであり、例えば、コンテンツを利用するために可搬性表示記録媒体を他のユーザから借用（一時的な所有）したユーザ行動、コンテンツを利用するために或る形式や機能の可搬性表示記録媒体を他の形式や機能のものに交換したユーザ行動を把握することが可能となる。
【発明の効果】
【００１５】
本発明によると、可搬性表示記録媒体を用いたコンテンツの処理経緯を、コンテンツ識別情報、ユーザ識別情報、デバイス識別情報を利用して管理するようにしたため、コンテンツの利用に係るユーザの行動を管理し更には解析することができる。
【発明を実施するための最良の形態】
【００１６】
本発明を一実施例に基づいて具体的に説明する。
まず、本発明に利用される可搬性表示記録媒体の一例について、図６〜図１２を参照して説明する。
可搬性表示記録媒体には、コンテンツを表示部に書き換え可能に記録保持する方式に違いにより大別して、図６〜図９に示す外部の光アドレスによる書き込み方式に代表される外部書き込み型と、図１０〜図１２に示す媒体自身に書き込み用の配線パターンを有する自己書き込み型とがあり、いずれの形式にあってもいわゆる電子ペーパーと称せられるように紙の様に薄型の装置である。
【００１７】
図６（ａ）には外部光書き込み型の可搬性表示記録媒体１を正面視して示し、同図（ｂ）には当該可搬性表示記録媒体１を側面視で示してある。なお、図示の可搬性表示記録媒体１はコンテンツ画像を表示保持する表示部２と電子データの処理を司る処理部３とを有しており、同図（ａ）には処理部３に内蔵されている諸機能部も表してある。
外部光書き込み型可搬性表示記録媒体１は、例えばＡ４版の用紙のような大きさのフレキシブルな薄型であり、大部分の面積を占める表示部２の一片に処理部３が設けられている。なお、表示部２の大きさは任意であり、用途に応じた大きさのものとされる。
【００１８】
処理部３には、後述するように表示部２を駆動する電圧を印加するための電極４、外部と無線によりデータ通信するための無線部５、電子データを読み書き自在に保持するメモリ６、本発明に係る諸機能を実行するためのＣＰＵ等の制御部７、無線部５やメモリ６や制御部７の駆動電力を供給するバッテリ８が設けられている。
外部光書き込み型可搬性表示記録媒体１は、表示部２に光書き込みされたコンテンツ画像情報を表示状態で記録保持する他、外部の装置（図示せず）と無線部５で無線通信することにより電子データを送受信し、また、これら電子データをメモリ６に保持することができる。
【００１９】
例えば、外部光書き込み型可搬性表示記録媒体１は、図７に示すように液晶パネル４０にコンテンツを画像として表示し、電極４に外部の電源から電圧を印加しながら外部光書き込み型可搬性表示記録媒体１を液晶パネル４０に重ねて光を照射することにより、液晶パネル４０に表示させたコンテンツ画像を表示部２に転写して記憶させることができる。
なお、電極４に電圧を印加しながら外部光書き込み型可搬性表示記録媒体１に原稿等の文書紙を重ねて光を照射することによっても、文書の記載内容画像を表示部２に転写して記憶させることもでき、要は、外部光書き込み型可搬性表示記録媒体１は電極４に電圧を印加しながら投影された画像情報を表示部２に転写し、電極４に印加した電圧を除去した後も当該画像情報を表示状態で保持し続ける機能を有している。
【００２０】
外部光書き込み型可搬性表示記録媒体１は、表示部２の断面構造を表す図９に示すように、複写機に利用されている有機光導電性材料の層（マイクロカプセル化したコレステリック液晶層）２１と液晶表示材料の層（有機光導電層）２０とを組み合わせ、これら層を表裏一対の透明電極２２で挟み、この積層体を表裏一対の透明な基材フィルム２３で挟んだ構造となっている。なお、モノクロ画像を表示保持する図示の例ではコレステリック液晶層２１と有機光導電層２１との間に黒色層２４が設けられるが、コレステリック液晶２１の特性を活かして螺旋ピッチに応じたカラー光を干渉反射することにより、簡単な構造でカラー表示を実現することも可能である。
【００２１】
そして、外部光書き込み型可搬性表示記録媒体１は、表示部２の動作原理を表す図８に示すように、例えば画像書込み用の調光素子パネル（発光パネル）２５に転写する画像を表示して表示部２に投影し、電極４に電圧を印加すると、光の強弱を瞬時に反射濃度に変換して当該投影画像を保持する。なお、電極４に消去電圧を印加することにより表示部２に保持された画像情報を消去することができ、外部光書き込み型可搬性表示記録媒体１は書き込みと消去を繰り返して幾度も再使用することができる書き換え可能な表示記録媒体である。
したがって、外部光書き込み型可搬性表示記録媒体１は、紙のように薄く柔軟である性質に加えて、画像の投影により転写された画像情報を無電源保持する性質があるので、あたかもプリンタや複写機に使用する紙の如く用いることができ、しかも、繰り返し再使用することができる表示記録媒体である。
【００２２】
更に、本例の外部光書き込み型可搬性表示記録媒体１は、無線通信機能及び制御部７による通知機能を備えているので、図１を参照して後述するように、表示部２に表示保持したコンテンツを識別するコンテンツＩＤや、当該可搬性表示記録媒体１の所有者ユーザを識別するユーザＩＤや、当該可搬性表示記録媒体１を識別するデバイスＩＤを管理装置５０に通知することができ、コンテンツに処理を加える毎、コンテンツを可搬性表示記録媒体１に記録保持させる毎、可搬性表示記録媒体１の所有者ユーザが変更される毎といった所定の条件で、これらＩＤを対応付け管理する情報管理システムを構成する。
【００２３】
図１０（ａ）には自己書き込み型可搬性表示記録媒体１１を正面視して示し、同図（ｂ）には当該自己書き込み型可搬性表示記録媒体１１を側面視で示してある。図示の可搬性表示記録媒体１１はコンテンツ画像を表示保持する表示部１２と電子データの処理を司る処理部１３とを有しており、同図（ａ）には処理部１３に内蔵されている諸機能部も表してある。
自己書き込み型可搬性表示記録媒体１１は、外部光書き込み型可搬性表示記録媒体１と同様に、例えばＡ４版の用紙のような大きさのフレキシブルな薄型であり、大部分の面積を占める表示部１２の一片に処理部１３が設けられている。なお、外部光書き込み型可搬性表示記録媒体１と同様に、表示部１２の大きさは用途に応じた大きさのものとされる。
【００２４】
処理部１３には、後述するように表示部１２を駆動するドライバ１４、外部と無線によりデータ通信するための無線部１５、電子データを読み書き自在に保持するメモリ１６、ドライバ１４による画像情報表示に対する操作入力等を受け付ける操作部１７、本発明に係る諸機能を実行するためのＣＰＵ等の制御部１８、ドライバ１４、無線部１５、メモリ１６及び制御部１８の駆動電力を供給するバッテリ１９が設けられている。
自己書き込み型可搬性表示記録媒体１１は、外部の装置（図示せず）と無線部１５で無線通信することにより電子データを送受信し、また、これら電子データをメモリ１６に保持することができる。
【００２５】
更に、自己書き込み型可搬性表示記録媒体１１は、外部光書き込み型可搬性表示記録媒体１とは異なって、メモリ１６に保持した電子データに基づいてドライバ１４が表示部１２に画像情報を表示し、また、操作部１７からの操作入力に応じて表示する画像情報を切り換え変更することができ、ドライバ１４の駆動電力を除去しても表示部１２に画像情報を表示状態で保持し続ける機能を有している。
自己書き込み型可搬性表示記録媒体１１は、表示部１２の断面構造を表す図１２に示すように、複写機にトナーとして利用されている微細な着色粒子（図示の例では、白色粒子３１と黒色粒子３２）を少なくとも表面側が透明な表裏一対の電極３３間に封入し、これを少なくとも表面側が透明な表裏一対の基材フィルム３４で挟んだ構造となっている。着色粒子３１、３２が自由に移動できるように電極層３３間は空気層となっており、また、マトリックス状の電極層３３には着色粒子３１、３２との接触を防止する絶縁層３５が設けられている。なお、カラーフィルターを用いることにより、簡単な構造でカラー表示を実現することも可能である。
【００２６】
そして、自己書き込み型可搬性表示記録媒体１１は、表示部１２の動作原理を表す図１１に示すように、電極３３に電圧を印加していない状態（但し、電極３３は前回の駆動時の極性に帯電している）では、負（マイナス）に帯電した白色粒子３１は裏面側に溜まる一方、正（プラス）に帯電した黒色粒子３２は表面側に溜まり、表示部１２を表面側から目視すると表示部１２は黒色な状態となる。そして、電子データに基づいてドライバ１４が動作して表示する画像情報に応じたマトリックスの所要部の電極極性を反転させると、白色粒子３１と黒色粒子３２との位置関係が入れ替わって、表示部１２に白色粒子３１と黒色粒子３２とのコントラストによる画像情報が表示される。なお、異なる電子データに基づいてドライバ１４を動作させることにより、白色粒子３１と黒色粒子３２とのコントラストにより表示部１２に表示される画像情報を切り換えることができ、幾度も再使用することができる。
したがって、自己書き込み型可搬性表示記録媒体１１は、紙のように薄く柔軟である性質に加えて、表示部１２に表示した画像情報を無電源保持する性質があるので、あたかも紙の如く用いることができる記録媒体である。
【００２７】
更に、本例の自己書き込み型可搬性表示記録媒体１１は、無線通信機能及び制御部１８による通知機能を備えているので、図１を参照して後述するように、表示部１２に表示保持したコンテンツを識別するコンテンツＩＤや、当該可搬性表示記録媒体１１の所有者ユーザを識別するユーザＩＤや、当該可搬性表示記録媒体１１を識別するデバイスＩＤを管理装置５０に通知することができ、コンテンツに処理を加える毎、コンテンツを可搬性表示記録媒体１に記録保持させる毎、可搬性表示記録媒体１の所有者ユーザが変更される毎といった所定の条件で、これらＩＤを対応付け管理する情報管理システムを構成する。
【００２８】
なお、光書き込み型や自己書き込み型等の形式を問わず、無線部、メモリ、バッテリ等といった無線通信機能やメモリ機能部を可搬性表示記録媒体の表示部とは別の無線ＩＣタグとして構成し、当該無線ＩＣタグを可搬性表示記録媒体に取り付けることにより上記と同様な構成とするようにしてもよい。なお、無線ＩＣタグとした場合等において、バッテリはタグリーダーからの起電力を保持するコンデンサとするようにしてもよい。
【００２９】
また、本発明は、自己書き込み型や光書き込み型といった形式以外の可搬性表示記録媒体も勿論適用することができ、例えば、外部の書き換え装置に装填して表示部に自己書き込み型のように電子的にコンテンツ画像を書き込む形式であってもよい。すなわち、上記の自己書き込み型は外部の画像書き込み装置を要しない形式の可搬性表示記録媒体の一例であり、光書き込み型は外部の画像書き込み装置を要する形式の可搬性表示記録媒体の一例であるとも言える。
また、表示部２（１２）としては、強誘電液晶に代表されるメモリー性のある液晶や、帯電された粒子を移動させて表示を切り替える電気泳動方式、帯電された粒子を回転させて表示を切り替える粒子回転方式、磁気により粒子を移動させて表示を切り替える磁気泳動方式、小型バッテリー駆動の薄型の液晶やＥＬ素子を用いてもよい。
【００３０】
図２は、図１に示す情報管理システムの実施例において用いる自己書き込み型可搬性表示記録媒体１１の処理部１３の更に詳しい機能構成を示している。
自己書き込み型可搬性表示記録媒体１１の基本構成は図１０に示したものであるが、更に詳しくは、処理部１３のメモリ１６は、表示部１２に表示保持するコンテンツ画像の電子データ及び当該各コンテンツを識別するコンテンツＩＤを記憶するコンテンツメモリ１６ａ、当該可搬性表示記録媒体１１を使用する所有者ユーザを識別するユーザＩＤを記憶するユーザＩＤメモリ１６ｂ、当該可搬性表示記録媒体１１自体を識別するデバイスＩＤを記憶するデバイスＩＤメモリ１６ｃ、後述するように管理装置５０に通知する内容（図１中の（ｂ）の情報）を記憶するログメモリ１６ｄを構成している。また、制御部１８には必要な時刻情報を得るために時刻を計時するタイマ１８ａが付設されている。
【００３１】
ここで、コンテンツメモリ１６ａに記憶されるコンテンツ電子データは、自己書き込み型可搬性表示記録媒体１１では無線部１５により外部から受信し、そのコンテンツＩＤは当該コンテンツ電子データの付属データとして受信する。また、ユーザＩＤメモリ１６ｂに記憶されるユーザＩＤや、デバイスＩＤメモリ１６ｃに記憶されるデバイスＩＤは、下記の通知処理を行う前に予め無線部１５により外部から受信させて設定すればよい。
【００３２】
このような機能構成により、可搬性表示記録媒体１１は制御部１８の処理により次のような通知機能を構成している。
まず、ユーザが表示部１２に表示するコンテンツに編集、書き込み、消去等の処理を加えた場合に、制御部１８が、これを検知して、ユーザＩＤメモリ１６ｂに記憶されているユーザＩＤと、表示部１２に表示するコンテンツに対応してコンテンツメモリ１６ａに記憶されているコンテンツＩＤと、タイマ１８ａにより計時される当該処理の時刻情報とを少なくとも含む通知を無線部１５から管理装置５０へ送信する通知機能が構成される。すなわち、ユーザが表示部１２のコンテンツに処理を加える毎の当該ユーザ識別情報と当該コンテンツ識別情報とを対応付けて管理装置５０に通知する機能を有している。
したがって、可搬性表示記録媒体１１を利用したユーザとコンテンツとが編集、書き込み、消去等の処理を条件にして対応付けた記録が作成されて通知される。
【００３３】
また、ユーザが表示部１２に表示するコンテンツを外部から取得して可搬性表示記録媒体１１に記録保持させた場合に、制御部１８が、これを無線部１５の通信データから検知して、コンテンツメモリ１６ａに記憶されているコンテンツＩＤと、デバイスＩＤメモリ１６ｃに記憶されているデバイスＩＤと、タイマ１８ａにより計時される当該処理の時刻情報とを少なくとも含む通知を無線部１５から管理装置５０へ送信する通知機能が構成されている。すなわち、表示部１２に表示させるコンテンツを可搬性表示記録媒体１１に記録保持させる毎の当該コンテンツ識別情報とデバイス識別情報とを対応付けて管理装置５０に通知する機能を有している。
したがって、可搬性表示記録媒体１１によるコンテンツの利用において、当該可搬性表示記録媒体１１とコンテンツとがコンテンツ取得の処理を条件にして対応付けた記録が作成されて通知される。
【００３４】
また、コンテンツを記録保持する可搬性表示記録媒体１１の所有者が変更される場合に、制御部１８が、無線部１５或いは操作部１７から入力される新たな所有者のユーザＩＤを検知して、当該新たなユーザＩＤをユーザＩＤメモリ１６ｂに更新するとともに、当該新たなユーザＩＤと、デバイスＩＤメモリ１６ｃに記憶されているデバイスＩＤと、タイマ１８ａにより計時される当該処理の時刻情報とを少なくとも含む通知を無線部１５から管理装置５０へ送信する通知機能が構成されている。すなわち、コンテンツを利用する可搬性表示記録媒体１１の所有者が変更される毎の当該所有者ユーザ識別情報とデバイス識別情報とを対応付けて管理装置５０に通知する機能を有している。
したがって、可搬性表示記録媒体１１によるコンテンツの利用において、当該可搬性表示記録媒体１１と所有者ユーザとが所有者の変更を条件にして対応付けた記録が作成されて通知される。
【００３５】
なお、本実施例では、可搬性表示記録媒体が時刻管理をするタイマを有しているが、可搬性表示記録媒体にはタイマを設けずに、可搬性表示記録媒体からの通知に基づいてユーザＩＤ、デバイスＩＤ、コンテンツＩＤの対応情報を時系列記録する管理装置５０側に時刻管理のためのタイマを備えるようにしてもよく、この場合には、可搬性表示記録媒体が上記の条件に応じて送信してくる通知を管理装置５０が受信した時刻を、管理装置５０が受信通知情報に対応付けて時刻情報を伴ってログ記録するようにすればよい。また、可搬性表示記録媒体へのコンテンツの書き込みについても同様に、コンテンツを提供する側（後述のコンテンツ提供装置６０）にタイマを設け、コンテンツを提供する側の装置が提供時刻情報を付してコンテンツデータを可搬性表示記録媒体に書き込み、可搬性表示記録媒体が当該提供時刻情報を付して上記の識別情報通知を管理装置５０に送信するようにすればよい。
【００３６】
また、本例では、ログメモリ１６ｄにより上記の通知情報を記録して、可搬性表示記録媒体においても自機に関するユーザ変更やコンテンツ処理に係るログを管理装置５０と同様に記録し、これをメモリから読み出すことにより可搬性表示記録媒体だけでも後述する検索処理への利用を可能にしている。
すなわち、本発明では、後述する管理装置５０を設けずしたがって可搬性表示記録媒体による上記の通知を行わずに、各可搬性表示記録媒体において自機に関するユーザ変更やコンテンツ処理に係るログを記録する機能を実現するようにしてもよく、当該ログ記録を利用するための検索処理は各可搬性表示記録媒体のログメモリ１６ｄにアクセスして行うようにすればよい。なお、本発明は、図１に示すシステム構成例のように、可搬性表示記録媒体からの通知に基づいた管理装置５０によるログ記録を主としてよいことは勿論であり、この場合には、ログメモリ１６ｄを廃して可搬性表示記録媒体側ではログ記録を行わないようにしてもよい。
【００３７】
次に、図１を参照して、自己書き込み型可搬性表示記録媒１１を用いた情報管理システムの実施例を説明する。
同図には電子ペーパー（Ａ）と（Ｂ）として示すが、複数の自己書き込み型可搬性表示記録媒体１１が当該システムで使用可能であり、当該システムには、上記の可搬性表示記録媒体１１からの通知に基づいてログを記録管理する管理装置５０、可搬性表示記録媒体１１に無線通信によりコンテンツデータを提供するコンテンツ提供装置６０、管理装置５０に蓄積記録されたログを用いて検索処理を行う検索装置７０は備えられている。
【００３８】
管理装置５０は、無線部５１、制御部５２、ログデータベースメモリ（ログＤＢ）５３、インタフェース５４を有しており、可搬性表示記録媒体１１からの通知情報を無線部５１により受信し、受信した通知情報を制御部５２がログＤＢ５３に記憶蓄積する。また、ログＤＢ５３に蓄積されたログはインタフェース５４を介してアクセス可能であり、当該インタフェース５４を介して検索装置７０が接続されている。
検索装置７０は、検索処理を行う検索部７１、ユーザからの検索指示入力を受け付けるキーボード等の入力部７２、検索結果を出力するディスプレイ画面等の出力部７３を有しており、入力部７２からユーザが入力した検索条件（例えば、コンテンツＩＤをキーとした検索条件）に応じて、検索部７１がログＤＢ５３にアクセスして当該検索条件に合致するデータを取得し、検索結果として出力部７３からユーザに対して出力する。
【００３９】
コンテンツ提供装置６０は、無線部６１、制御部６２、コンテンツデータベースメモリ（コンテンツＤＢ）６３を有しており、コンテンツＤＢ６３には複数のコンテンツ電子データ（コンテンツデータ）がそれぞれコンテンツＩＤに対応付けて記憶されている。このコンテンツ提供装置６０は、可搬性表示記録媒体１１からの要求或いは制御部６２に予め設定された配信時刻や配信先情報に基づいて、制御部６２が、配信対象のコンテンツデータ及びそのコンテンツＩＤをコンテンツＤＢ６３から読み出して、当該コンテンツデータ及びそのコンテンツＩＤを同図に（ａ）で示すような宛先情報等を含むヘッダを付加した無線フレームとして無線部６１により該当する可搬性表示記録媒体１１へ送信する。
【００４０】
したがって、当該無線フレームを受信した自己書き込み型可搬性表示記録媒体１１では、コンテンツデータ及びそのコンテンツＩＤをコンテンツメモリ１６ａに記憶し、制御部１８が、ドライバ１４を駆動して受信したコンテンツデータによるコンテンツ画像を表示部１２に表示出力するとともに、タイマ１６ｄの計時による受信時刻情報を含んだ無線フレーム（同図（ｂ）の通知情報）として無線部１５により管理装置５０へ送信し、また、当該通知情報をログメモリ１６ｄに記録する。
【００４１】
また、自己書き込み型可搬性表示記録媒体１１では、無線通信機能と自己書き込み機能とを備えていることから、自己書き込み型可搬性表示記録媒体１１同士で表示するコンテンツデータを交換することができ、操作部１７からの操作に応じて、制御部１８が、コンテンツメモリ１６ａに記憶された対応するコンテンツデータをそのコンテンツＩＤとともに同様な無線フレーム（ａ）にして相手の自己書き込み型可搬性表示記録媒体１１へ無線部１５により送信し、相手の自己書き込み型可搬性表示記録媒体１１では上記と同様に当該コンテンツデータの受信処理及び管理装置５０への通知処理を行う。
【００４２】
なお、情報管理システムにおいて外部光書き込み型可搬性表示記録媒体１を用いることもでき、この場合には、コンテンツ提供装置６０は図７に示したようにコンテンツデータに基づいたコンテンツ画像を光書き込みするための手段を備え、表示部２へのコンテンツ画像は光書き込みするとともに、対応するコンテンツＩＤは可搬性表示記録媒体１に無線或いは有線接続によりデータ送信するようにすればよい。
【００４３】
可搬性表示記録媒体１１から管理装置５０へ送信される通知情報は図１中に（ａ）で示すようなものであり、管理装置５０を指定する宛先情報等を含むヘッダ、コンテンツ処理やユーザ変更等の時刻としてタイマ１８ａから取得した時刻情報、コンテンツ処理やユーザ変更等の処理の種類を特定するための処理内容情報の他に、下記のように処理内容に応じて、デバイスＩＤ、ユーザＩＤ、コンテンツＩＤの内の少なくとも２つの対応付けられたＩＤ情報を含んでいる。
したがって、管理装置５０のログＤＢ５３には、受信した通知情報を順次記憶することにより、時刻情報を伴ってデバイスＩＤ、ユーザＩＤ、コンテンツＩＤの内の少なくとも２つを対応付けたログが蓄積される。
【００４４】
すなわち、上記において、ユーザが表示部１２コンテンツの取得、他の可搬性表示記録媒体１１への転送、編集、消去等の処理を加えた場合には、通知情報（ａ）には当該処理内容情報とともに少なくともユーザＩＤとコンテンツＩＤとが含まれ、また、コンテンツを提供装置６０や他の可搬性表示記録媒体１１から取得して自機に記録保持させた場合には、通知情報（ａ）には当該取得処理がなされた旨の処理内容情報とともに少なくともコンテンツＩＤと自機のデバイスＩＤとが含まれ、また、可搬性表示記録媒体１１の所有者が変更された場合には、通知情報（ａ）には当該変更がなされた旨の処理内容情報とともに少なくとも新たな所有者のユーザＩＤとデバイスＩＤとが含まれる。
なお、これら通知情報には、２つ以上のＩＤ情報を含めるようにしてもよいことは勿論である。
【００４５】
このようにして、可搬性表示記録媒体１１に何らかの変化が生ずると、当該変化毎の時刻情報と、当該変化の内容を特定する処理内容情報と、変化に関わった主体や客体を特定するＩＤ情報とが管理装置５０のログＤＢ５３に蓄積記録される。
このログＤＢ５３に対して検索装置７０からいずれかのＩＤ情報をキーとして検索を行うと、可搬性表示記録媒体１１を用いたコンテンツ情報の利用という環境において、ユーザ自身、コンテンツ、可搬性表示記録媒体１１自身の変遷を把握することができ、これら変遷はいずれにおいてもユーザの行動や意思に起因したものであるので、ユーザの行動を解析把握することができる。
【００４６】
図３には検索結果の概念を示してあり、同図（ａ）はコンテンツＩＤをキーとして検索した場合、同図（ｂ）はデバイスＩＤをキーとして検索した場合、同図（ｃ）はユーザＩＤをキーとして検索した場合である。
コンテンツＩＤをキーとした検索結果は時刻情報に応じた時系列情報であり、或るコンテンツについて、当該コンテンツを取得した或いは処理した可搬性表示記録媒体１１がどれであったかという変遷が分かり、また、当該コンテンツを取得した或いは処理したユーザが誰であったかという変遷が分かる。
また、デバイスＩＤをキーとした検索結果は時刻情報に応じた時系列情報であり、或る可搬性表示記録媒体について、当該デバイスを用いて取得した或いは処理したコンテンツがどれであったかという変遷が分かり、また、当該デバイスを所有したユーザが誰であったかという変遷が分かる。
また、ユーザＩＤをキーとした検索結果は時刻情報に応じた時系列情報であり、或るユーザについて、どの可搬性表示記録媒体を所有したかという変遷が分かり、また、当該デバイスを用いて取得した或いは処理したコンテンツがどれであったかという変遷が分かる。
【００４７】
図４には、より具体的な一例として、可搬性表示記録媒体Ｘｄを所有して使用するユーザＵ１と、可搬性表示記録媒体Ｙｄを所有して使用するユーザＵ２との間で、可搬性表示記録媒体によりコンテンツに処理を行う状況を示してある。
ユーザＵ１が可搬性表示記録媒体Ｘｄで表示したコンテンツをＡ１ｃからＡ２ｃに切り換え、ユーザＵ２が可搬性表示記録媒体Ｙｄで表示したコンテンツをＢ１ｃからＢ２ｃに切り換えたとする。そして、ユーザＵ１の可搬性表示記録媒体ＸｄとユーザＵ２の可搬性表示記録媒体Ｙｄとの間で、表示するコンテンツを無線通信により交換し、可搬性表示記録媒体ＸｄではコンテンツＢ２ｃの表示に切り換え、可搬性表示記録媒体ＹｄではコンテンツＡ２ｃの表示に切り換え、更に、当該表示を、可搬性表示記録媒体ＸｄではコンテンツＡ３ｃに切り換え、可搬性表示記録媒体ＹｄではコンテンツＢ３ｃに切り換えたとする。
【００４８】
このようなコンテンツに係る処理は上記のようにログＤＢ５３に蓄積され、検索装置７０により、例えば、可搬性表示記録媒体Ｘｄをキーとすれば表示コンテンツがＡ１ｃ、Ａ２ｃ、Ｂ２ｃ、Ａ３ｃと変遷したことが分かり、また、可搬性表示記録媒体Ｙｄをキーとすれば表示コンテンツがＢ１ｃ、Ｂ２ｃ、Ａ２ｃ、Ｂ３ｃと変遷したことが分かる。
また、例えば、コンテンツＡ２ｃをキーして検索をすれば、ユーザがＵ１からＵ２に変更され、可搬性表示記録媒体がＸｄからＹｄに変更されたことが分かる。
【００４９】
また、図５には、より具体的な他の一例として、可搬性表示記録媒体Ｘｄを所有して使用するユーザＵ１と、可搬性表示記録媒体Ｚｄを所有して使用するユーザＵ３と、更には、始めは可搬性表示記録媒体を所有していないユーザＵ２との間で、可搬性表示記録媒体によりコンテンツに処理を行う状況を示してある。
ユーザＵ１が可搬性表示記録媒体Ｘｄで表示したコンテンツをＡ１ｃからＡ２ｃに切り換え、この可搬性表示記録媒体ＸｄをユーザＵ２に渡して所有者ユーザのＩＤを変更する。そして、新たなユーザＵ２が可搬性表示記録媒体Ｘｄで表示したコンテンツをＡ２ｃからＡ１ｃに切り換え、更に、Ａ１ｃからＡ３ｃに切り換えたとする。一方、ユーザＵ３は可搬性表示記録媒体Ｚｄに表示したコンテンツＢ１ｃを可搬性表示記録媒体Ｘｄから取得したコンテンツＡ２ｃに切り換え、更に、表示コンテンツをＢ２ｃ、Ｂ３ｃに切り換えたとする。
【００５０】
このようなコンテンツに係る処理は上記のようにログＤＢ５３に蓄積され、検索装置７０により、例えば、コンテンツＡ２ｃをキーとして検索すれば、利用した可搬性表示記録媒体がＸｄ、Ｚｄと変遷したことが分かり、また、利用したユーザがＵ１、Ｕ２、Ｕ３と変遷したことが分かる。
また、例えば、デバイスＸｄをキーとして検索すれば、当該可搬性表示記録媒体Ｘｄの所有者がＵ１、Ｕ２と変遷したことが分かる。
【図面の簡単な説明】
【００５１】
【図１】本発明の一実施例に係る情報管理システムを示す図である。
【図２】本発明の一実施例に係る自己書き込み型可搬性表示記録媒体の機能構成を示す図である。
【図３】本発明の一実施例に係る検索結果を説明する図である。
【図４】本発明の一実施例に係る具体的な事例を説明する図である。
【図５】本発明の一実施例に係る具体的な事例を説明する図である。
【図６】外部光書き込み型可搬性表示記録媒体を示す図である。
【図７】外部光書き込み型可搬性表示記録媒体の使用方法を説明する図である。
【図８】外部光書き込み型可搬性表示記録媒体の動作原理を説明する図である。
【図９】外部光書き込み型可搬性表示記録媒体の構造を説明する図である。
【図１０】自己書き込み型可搬性表示記録媒体を示す図である。
【図１１】自己書き込み換え型可搬性表示記録媒体の動作原理を説明する図である。
【図１２】自己書き込み型可搬性表示記録媒体の構造を説明する図である。
【符号の説明】
【００５２】
１：外部光書き込み型可搬性表示記録媒体、
２：表示部、  ３：処理部、  ４：電極、
５：無線部、  ６：メモリ、  ７：制御部、
１１：自己書き込み型可搬性表示記録媒体、
１２：表示部、  １３：処理部、  １４：ドライバ、
１５：無線部、  １６：メモリ、  １６ａ：コンテンツメモリ、
１６ｂ：ユーザＩＤメモリ、  １６ｃ：デバイスＩＤメモリ、  １６ｄ：ログメモリ、
１７：操作部、  １８：制御部、  １８ａ：タイマ、
５０：管理装置、  ５３：ログデータベース、
６０：コンテンツ提供装置、  ６３：コンテンツデータベース、
７０：検索装置、  ７１：検索部、
【図１】
2005267147.tif 000003
【図２】
2005267147.tif 000004
【図３】
2005267147.tif 000005
【図４】
2005267147.tif 000006
【図５】
2005267147.tif 000007
【図６】
2005267147.tif 000008
【図７】
2005267147.tif 000009
【図８】
2005267147.tif 000010
【図９】
2005267147.tif 000011
【図１０】
2005267147.tif 000012
【図１１】
2005267147.tif 000013
【図１２】
2005267147.tif 000014